(57)【要約】【課題】低コストで、加飾シートの表示面に対面する領域と、表示面に対面する領域以外の領域との間の意匠性の違いを認識し難くする。【解決手段】加飾シート５０は、少なくとも表示装置４０の表示面４１を覆う第１領域５０ａと、第１領域５０ａに隣接する第２領域５０ｂと、を含む。加飾シート５０は、絵柄部５３と、少なくとも第１領域５０ａに設けられた絵柄部５３の非形成部である透過部５７と、を備える。第１領域５０ａにおける透過部５７の割合は、第２領域５０ｂにおける透過部５７の割合より高い。第１領域５０ａにおけるＬ＊ａ＊ｂ＊表色系におけるＬ＊の値であるＬ＊１、ａ＊の値であるａ＊１、ｂ＊の値であるｂ＊１と、第２領域５０ｂにおけるＬ＊ａ＊ｂ＊表色系におけるＬ＊の値であるＬ＊２、ａ＊の値であるａ＊２、ｂ＊の値であるｂ＊２が、次の関係を満たす。  （（Ｌ＊１−Ｌ＊２）２＋（ａ＊１−ａ＊２）２＋（ｂ＊１−ｂ＊２）２）１／２≦３【選択図】図３
2019120833.tif 000002
【特許請求の範囲】
【請求項１】
少なくとも表示装置の表示面を覆う第１領域と、前記第１領域に隣接する第２領域と、を含む加飾シートであって、
絵柄部と、少なくとも前記第１領域に設けられた前記絵柄部の非形成部である透過部と、を備え、
前記第１領域における前記透過部の割合は、前記第２領域における前記透過部の割合より高く、
前記第１領域におけるＬ＊ａ＊ｂ＊表色系におけるＬ＊の値であるＬ＊１、ａ＊の値であるａ＊１、ｂ＊の値であるｂ＊１と、前記第２領域におけるＬ＊ａ＊ｂ＊表色系におけるＬ＊の値であるＬ＊２、ａ＊の値であるａ＊２、ｂ＊の値であるｂ＊２が、次の関係を満たす、加飾シート。
（（Ｌ＊１−Ｌ＊２）２＋（ａ＊１−ａ＊２）２＋（ｂ＊１−ｂ＊２）２）１／２≦３
【請求項２】
前記第１領域における前記透過部の割合は、１０％以上５０％以下である、請求項１に記載の加飾シート。
【請求項３】
少なくとも前記第１領域において前記絵柄部を覆う遮蔽部をさらに備える、請求項１または２に記載の加飾シート。
【請求項４】
前記第１領域における前記遮蔽部の厚さは、前記第２領域における前記遮蔽部の厚さより厚い、請求項３に記載の加飾シート。
【請求項５】
前記第１領域において前記絵柄部に含まれる顔料の濃度は、前記第２領域において前記絵柄部に含まれる顔料の濃度より高い、請求項１乃至４のいずれか一項に記載の加飾シート。
【請求項６】
前記第１領域における前記絵柄部の厚さは、前記第２領域における前記絵柄部の厚さより厚い、請求項１乃至５のいずれか一項に記載の加飾シート。
【請求項７】
前記第１領域における前記絵柄部の網点の面積比は、前記第２領域における前記絵柄部の網点の面積比より大きい、請求項１乃至６のいずれか一項に記載の加飾シート。
【請求項８】
表示面を有する表示装置と、
前記表示面に対面して設けられた請求項１乃至７のいずれか一項に記載の加飾シートと、を備える、加飾シート付き表示装置。
【請求項９】
前記透過部は、前記表示装置の画素の配列方向と非平行な方向に配列されている、請求項８に記載の加飾シート付き表示装置。
【発明の詳細な説明】
【技術分野】
【０００１】
本発明は、加飾シート、加飾シートを有する加飾シート付き表示装置、および加飾シート付き表示装置を有するパネル付き表示装置に関する。
【背景技術】
【０００２】
例えば特許文献１に記載されているような、画像光を表示する表示装置が知られている。このような表示装置は、画像非表示の状態では、通常、黒色に観察される。一方で、例えば自動車や家具、住宅建材等の表面部材においては、意匠性が非常に重要視される。現在、種々の分野に適用される表示装置に対し、単に画像を表示する機能が期待されているだけでなく、周囲環境との意匠性の調和も要求されている。
【０００３】
表示装置に意匠性を付与するために、表示装置の表示面に対面して加飾シートを設けることが考えられた。加飾シートは、表示装置の周辺環境と調和することができる意匠性を付与することができる。また、表示装置の画像光が加飾シートを透過することができるよう、加飾シートの表示面に対面する領域には孔等の透過部が設けられる。
【先行技術文献】
【特許文献】
【０００４】
【特許文献１】特開平９−１１４００３号公報
【発明の概要】
【発明が解決しようとする課題】
【０００５】
ところで、加飾シートに透過部が設けられると、透過部が設けられた部分において意匠を表示できないため、加飾シートの意匠が薄く観察されてしまう。加飾シートの表示面に対面する領域にのみ透過部が設けられると、表示面に対面する領域においてのみ、加飾シートの意匠が薄く観察されてしまう。すなわち、加飾シートの表示面に対面する領域と、加飾シートの表示面に対面する領域以外の領域との間で、意匠性に違いが生じてしまう。この意匠性の違いから、加飾シートの意匠性が劣化してしまい、さらには周辺環境との意匠性の調和が乱されることになり得る。
【０００６】
加飾シートの表示面に対面する領域と表示面に対面する領域以外の領域との間の意匠性の違いを無くすため、加飾シートの表示面に対面する領域にだけでなく、表示面に対面する領域以外の領域にも透過部を設けることが考えられる。すなわち、加飾シートの全体に均一に透過部を設けることが考えられた。しかしながら、透過部を設ける加工工程はコストがかかるため、加飾シートの全体に透過部を設けることは、好ましくない。
【０００７】
本発明は、このような点を考慮してなされたものであり、低コストで、加飾シートの表示面に対面する領域と、表示面に対面する領域以外の領域との間の意匠性の違いを認識し難くすることを目的とする。
【課題を解決するための手段】
【０００８】
本発明の加飾シートは、少なくとも表示装置の表示面を覆う第１領域と、前記第１領域に隣接する第２領域と、を含む加飾シートであって、
絵柄部と、少なくとも前記第１領域に設けられた前記絵柄部の非形成部である透過部と、を備え、
前記第１領域における前記透過部の割合は、前記第２領域における前記透過部の割合より高く、
前記第１領域におけるＬ＊ａ＊ｂ＊表色系におけるＬ＊の値であるＬ＊１、ａ＊の値であるａ＊１、ｂ＊の値であるｂ＊１と、前記第２領域におけるＬ＊ａ＊ｂ＊表色系におけるＬ＊の値であるＬ＊２、ａ＊の値であるａ＊２、ｂ＊の値であるｂ＊２が、次の関係を満たす。
（（Ｌ＊１−Ｌ＊２）２＋（ａ＊１−ａ＊２）２＋（ｂ＊１−ｂ＊２）２）１／２≦３
【０００９】
本発明の加飾シートにおいて、前記第１領域における前記透過部の割合は、１０％以上５０％以下であってもよい。
【００１０】
本発明の加飾シートにおいて、少なくとも前記第１領域において前記絵柄部を覆う遮蔽部をさらに備えてもよい。
【００１１】
本発明の加飾シートにおいて、前記第１領域における前記遮蔽部の厚さは、前記第２領域における前記遮蔽部の厚さより厚くてもよい。
【００１２】
本発明の加飾シートにおいて、前記第１領域において前記絵柄部に含まれる顔料の密度は、前記第２領域において前記絵柄部に含まれる顔料の密度より高くてもよい。
【００１３】
本発明の加飾シートにおいて、前記第１領域における前記絵柄部の厚さは、前記第２領域における前記絵柄部の厚さより厚くてもよい。
【００１４】
本発明の加飾シートにおいて、前記第１領域における前記絵柄部の網点の面積比は、前記第２領域における前記絵柄部の網点の面積比より大きくてもよい。
【００１５】
本発明の加飾シート付き表示装置は、
表示面を有する表示装置と、
前記表示面に対面して設けられた上述したいずれかの加飾シートと、を備える。
【００１６】
本発明の加飾シート付き表示装置において、前記透過部は、前記表示装置の画素の配列方向と非平行な方向に配列されていてもよい。
【発明の効果】
【００１７】
本発明によれば、低コストで、加飾シートの表示面に対面する領域と、表示面に対面する領域以外の領域との間の意匠性の違いを認識し難くすることができる。
【図面の簡単な説明】
【００１８】
【図１】図１は、パネル付き表示装置の各要素を概略的に示す分解斜視図である。
【図２】図２は、パネル付き表示装置の断面図である。
【図３】図３は、パネル付き表示装置の正面図である。
【図４】図４は、加飾シートの断面図であって、第１領域の絵柄部と第２領域の絵柄部とをそれぞれ拡大して示す図である。
【図５】図５は、第１領域の絵柄部の網点を示す平面図である。
【図６】図６は、第２領域の絵柄部の網点を示す平面図である。
【図７】図７は、第１領域の加飾シートを拡大して示す正面図である。
【図８】図８は、図２のパネル付き表示装置の一変形例である。
【図９】図９は、図３に対応する従来のパネル付き表示装置の正面図である。
【発明を実施するための形態】
【００１９】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２０】
なお、本明細書において、「層」、「シート」及び「フィルム」の用語は、呼称の違いのみに基づいて互いから区別されるものではない。例えば「シート」という用語は、層或いはフィルムと呼ばれ得るような部材も含む概念である。
【００２１】
また、本明細書において用いる、形状や幾何学的条件ならびにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２２】
図１は、本発明による一実施の形態のパネル付き表示装置１０を概略的に示す分解斜視図である。図１に示されるように、パネル付き表示装置１０は、加飾シート付き表示装置２０と、パネル部材３０と、を備えている。加飾シート付き表示装置２０は、表示面４１を有する表示装置４０と、表示面４１に対面して設けられた加飾シート５０と、を有している。また、パネル付き表示装置１０は、表示装置４０と、表示装置４０の表示面４１に対面して設けられたパネル１５と、を有し、パネル１５は、パネル部材３０及び加飾シート５０を含んでいる。なお、図示されている例では、パネル付き表示装置１０は、平板状に示されているが、後述するパネル付き表示装置１０の各構成要素が湾曲することで、パネル付き表示装置１０は、湾曲形状であってもよい。
【００２３】
表示装置４０は、画像光を出射する装置であり、画像光を出射することができる表示面４１を有している。表示装置４０は、液晶ディスプレイやプラズマディスプレイ、有機ＥＬディスプレイ等の任意の表示装置を用いることができる。このような表示装置４０の表示面４１は、典型的にはガラス面となっている。また、表示装置４０の画素ｐｘは、図１に示す第１方向ｄ１及び第１方向ｄ１に直交する第２方向ｄ２に沿って配列されている。
【００２４】
パネル部材３０は、表示装置４０と加飾シート５０との間に配置されている。また、パネル部材３０は、開口部３７を有している。表示面４１への法線方向からの観察において、表示面４１が開口部３７内に位置している。さらに、後述するように、加飾シート５０は、可視光を透過させることができる透過部５７を含む。したがって、表示装置４０の表示面４１から出射した画像光は、開口部３７を介してパネル部材３０を透過することができ、また、加飾シート５０を透過することができる。画像光がパネル部材３０および加飾シート５０を透過することで、パネル付き表示装置１０から画像光が出射され、外部の観察者は、画像光によって形成されている画像を観察することができる。
【００２５】
なお、ここで言う画像光の具体的な態様は特に限定されず、画像光は、具体的な種類や内容を問わず、光全般を含み得る。典型的には特定の情報を表す光によって画像光が構成され得るが、他の任意の態様を有する光（例えば不規則な図柄を表す光や何らの特定情報も表さない光等）によって画像光が構成されてもよい。例えば、画像光は、印刷が施された透明なフィルム等を透過させて画像を表示する光であってもよいし、遮光物によって明暗の画像を表示する光であってもよい。
【００２６】
図１及び図２に示す例において、パネル部材３０は、パネル付き表示装置１０を正面から観察した際に、表示装置４０の周辺に設けられている。逆に言えば、パネル部材３０が設けられた領域に表示装置４０が設置され、この表示装置４０がパネル部材３０および加飾シート５０とともにパネル付き表示装置１０を形成する。パネル部材３０は、例えば厚さ０．０１ｍｍ以上５ｍｍ以下の板状部材である。パネル部材３０は、平面状の部材であってもよいし、曲面状の部材であってもよいし、平面状の部分および曲面状の部分を含む部材であってもよい。
【００２７】
図２に示されているように、パネル部材３０は、基材層３１と、基材層３１上に設けられた意匠層３５と、を含んでいる。基材層３１は、パネル部材３０の要素、本実施の形態では意匠層３５を適切に支持することができる部材である。意匠層３５は、パネル部材３０に意匠性を付与するための部材であり、典型的には黒色等の濃色となっている。このような意匠層３５は、例えば黒色顔料を含む樹脂によって形成される。黒色顔料としては、カーボンブラックやチタンブラック等を例示することができる。意匠層３５は、パネル部材３０が設けられる環境に応じて、木目調や大理石調等の任意の意匠性を付与するものであってもよい。
【００２８】
また、図１に示されるように、パネル部材３０は、矩形の開口部３７を有するロ字型となっている。しかしながら、これに限らず、パネル部材３０は、Ｌ字型、コ字型等の、矩形から一部を除いた形状であってもよい。このような形状でも、表示面４１への法線方向からの観察において表示面４１がパネル部材３０の矩形から除かれた部分内に位置することで、表示面４１から出射した画像光がパネル部材３０を透過することができる。また、パネル部材３０は、矩形に限らず、円形等の任意の形状であってもよい。さらには、開口部３７の形状も任意の形状であってもよい。
【００２９】
次に、加飾シート５０について説明する。加飾シート５０は、表示装置４０に意匠性を付与する。図２および図３に示されているように、加飾シート５０は、少なくとも表示装置４０の表示面４１を覆う第１領域５０ａと、パネル部材３０を覆う第２領域５０ｂと、を含んでいる。第１領域５０ａと第２領域５０ｂとは、互いに隣接している。図示された例において、第２領域５０ｂは、第１領域５０ａを周状に取り囲んでいる。また、図示された例において、第１領域５０ａは、表示装置４０の表示面４１ａに対面する領域となっている。ただし、この例に限られず、第１領域５０ａは、表示面４１ａに対面する領域よりも広くなっていてもよい。
【００３０】
加飾シート５０は、基材部５１と、基材部５１上に設けられた絵柄部５３および遮蔽部５５と、絵柄部５３および遮蔽部５５の非形成部である透過部５７と、を有している。また、加飾シート５０は、第１領域５０ａにおけるＬ＊ａ＊ｂ＊表色系におけるＬ＊の値であるＬ＊１、ａ＊の値であるａ＊１、ｂ＊の値であるｂ＊１と、第２領域５０ｂにおけるＬ＊ａ＊ｂ＊表色系におけるＬ＊の値であるＬ＊２、ａ＊の値であるａ＊２、ｂ＊の値であるｂ＊２が、次の関係を満たしている。
（（Ｌ＊１−Ｌ＊２）２＋（ａ＊１−ａ＊２）２＋（ｂ＊１−ｂ＊２）２）１／２≦３
【００３１】
なお、Ｌ＊ａ＊ｂ＊表色系におけるＬ＊の値、ａ＊の値およびｂ＊の値は、色彩計や分光測色計を用いて測定することができる。加飾シート５０のＬ＊の値、ａ＊の値およびｂ＊の値は、例えば、加飾シート５０の任意の５０箇所において、分光測色計（コニカミノルタ製「ＣＭ−７００ｄ」）を用いて、測定径Φ８ｍｍの条件で、加飾シート５０の反射光から測定されたＬ＊の値、ａ＊の値およびｂ＊の値の平均値として規定することができる。
【００３２】
基材部５１は、基材部５１上に設けられた絵柄部５３および遮蔽部５５を適切に支持する。基材部５１は、透明なフィルム状の部材である。基材部５１としては、可視光を透過し、絵柄部５３および遮蔽部５５を適切に支持し得るものであればいかなる材料でもよいが、例えば、ポリメタクリル酸メチル、ポリエチレンテレフタレート、ポリエチレンナフタレート、ポリカーボネート、ポリスチレン、環状ポリオレフィン等を挙げることができる。また、基材部５１は、可視光透過性や、絵柄部５３および遮蔽部５５の適切な支持性等を考慮すると、１０μｍ以上５００μｍ以下の厚みを有していることが好ましい。
【００３３】
絵柄部５３は、加飾シート５０が表示する絵柄を表示する。絵柄部５３は、図形、パターン、デザイン、色彩、絵、写真、キャラクター、マーク、文字や数字などの絵柄を、意匠として表示することができる。特に、パネル付き表示装置１０が設けられる周辺環境と調和させることができる意匠として、木目調や大理石調の絵柄や幾何学模様を例示することができる。また、絵柄部５３は、単色の色彩の絵柄を意匠として表示するものであってもよい。このような絵柄を表示するために、絵柄部５３は、顔料を含んでいる。顔料は、任意の色の顔料であってよく、例えば黒色顔料のカーボンブラックであってよい。なお、図２において、絵柄部５３の断面形状は、矩形となっているが、これに限らず、台形形状等であってもよい。
【００３４】
図４には、第１領域５０ａおよび第２領域５０ｂにおける絵柄部５３がそれぞれ拡大して示されている。図４に示されているように、第１領域５０ａにおける絵柄部５３ａの厚さＨａは、第２領域５０ｂにおける絵柄部５３ｂの厚さＨｂより厚くなっている。したがって、第１領域５０ａにおける絵柄部５３ａは、第２領域５０ｂにおける絵柄部５３ｂより、濃く意匠を表示することができる。ここで、絵柄部５３の厚さとは、絵柄部５３を支持する基材部５１の法線方向に沿った絵柄部５３の長さのことである。具体的な例として、第１領域５０ａにおける絵柄部５３ａの厚さＨａは、１μｍ以上２０μｍ以下であり、第２領域５０ｂにおける絵柄部５３ｂの厚さＨｂは、０．５μｍ以上２０μｍ以下である。
【００３５】
また、第１領域５０ａにおいて絵柄部５３ａに含まれる顔料の濃度は、第２領域５０ｂにおいて絵柄部５３ｂに含まれる顔料の濃度より高くなっている。顔料の濃度が高くなるほど、色を濃く呈することができる。したがって、第１領域５０ａにおける絵柄部５３ａは、第２領域５０ｂにおける絵柄部５３ｂより、濃く意匠を表示することができる。ここで、絵柄部５３に含まれる顔料の濃度とは、顔料およびバインダー樹脂を含む絵柄部５３の全固形分量に占める顔料の量の百分率で表される値のことをいう。具体的な例として、第１領域５０ａにおいて絵柄部５３ａの全固形分量に占める顔料の量は、３質量％以上４０質量％以下、第２領域５０ｂにおいて絵柄部５３ｂの全固形分量に占める顔料の量は、１質量％以上３８質量％以下である。
【００３６】
さらに、図５および図６に示されているように、絵柄部５３が表示する意匠を網点６０で表した場合、第１領域５０ａにおける絵柄部５３ａの網点６０ａの面積比は、第２領域５０ｂにおける絵柄部５３ｂの網点６０ｂの面積比より大きくなっている。ここで網点の面積比とは、単位面積当たりにおける網点が形成されている面積の割合のことであり、単位は一例として％とすることができる。図５および図６では、各網点６０を円で表している。網点６０の面積比が大きいほど、網点によって表される意匠を濃く表示することができる。したがって、第１領域５０ａにおける絵柄部５３ａは、第２領域５０ｂにおける絵柄部５３ｂより、濃く意匠を表示することができる。具体的な例として、第１領域５０ａにおける絵柄部５３ａの網点６０ａの面積比は、５０％以上９９．５％以下、第２領域５０ｂにおける絵柄部５３ｂの網点６０ｂの面積比は、５５％以上９９．９％以下である。また、各網点６０の大きさは、例えば１μｍ２以上４００００μｍ２以下である。
【００３７】
遮蔽部５５は、絵柄部５３と基材部５１との間に配置されており、基材部５１の側から絵柄部５３を覆っている。図２および図４では、第１領域５０ａにおける絵柄部５３ａと基材部５１との間に配置された遮蔽部５５ａと、第２領域５０ｂにおける絵柄部５３ｂと基材部５１との間に配置された遮蔽部５５ｂと、が示されている。しかしながら、遮蔽部５５は、第１領域５０ａにおいてのみ設けられ、第２領域５０ｂでは設けられていなくてもよい。言い換えると、遮蔽部５５は、少なくとも第１領域５０ａにおいて設けられている。好ましくは、遮蔽部５５は、絵柄部５３に対面する位置にのみ設けられている。遮蔽部５５は、表示装置４０からの画像光が絵柄部５３に入射しないよう、光を吸収する機能を有している。遮蔽部５５は、例えば光吸収粒子をバインダー樹脂中に含み得る。光吸収粒子としては、カーボンブラックやチタンブラック等の黒色顔料を例示することができる。また、図４に示された例において、第１領域５０ａにおける遮蔽部５５ａの厚さＴａは、第２領域５０ｂにおける遮蔽部５５ｂの厚さＴｂより、厚くなっている。厚い遮蔽部５５が絵柄部５３を覆っていると、絵柄部５３の意匠を濃く表示することができる。したがって、第１領域５０ａにおける絵柄部５３ａは、第２領域５０ｂにおける絵柄部５３ｂより、濃く意匠を表示することができる。具体的な例として、第１領域５０ａにおける遮蔽部５５ａの厚さＴａは、１μｍ以上２０μｍ以下、第２領域５０ｂにおける遮蔽部５５ｂの厚さＴｂは、０．５μｍ以上２０μｍ以下である。
【００３８】
透過部５７は、加飾シート５０の正面からの観察において、絵柄部５３の非形成部であり、表示装置４０からの画像光を透過させることができる。なお、透過部５７は、図示された例のように孔や空隙であってもよいが、例えば透明な樹脂によって形成されてもよい。さらに、透明な樹脂によって形成された透過部５７は、絵柄部５３および遮蔽部５５を覆うようにしてもよい。このような透過部５７は、絵柄部５３および遮蔽部５５を保護する透明な保護膜として機能することができる。
【００３９】
なお、透明とは、分光光度計（（株）島津製作所製「ＵＶ−３１００ＰＣ」、ＪＩＳ  Ｋ  ０１１５準拠品）を用いて測定波長３８０ｎｍ〜７８０ｎｍの範囲内で測定したときの、各波長における透過率の平均値として特定される可視光透過率が、８０％以上であることを意味する。
【００４０】
図２に示されている例において、透過部５７は、第１領域５０ａにのみ設けられている。しかしながら、透過部５７は、第２領域５０ｂにおいて設けられていてもよい。第１領域５０ａにおける透過部５７の割合は、第２領域５０ｂにおける透過部５７の割合より、高くなっている。ここで透過部の割合とは、単位面積当たりにおける透過部が形成されている面積の割合のことである。具体的な第１領域５０ａにおける透過部５７の割合は、表示装置４０の画像非表示状態において、加飾シート５０の意匠を観察者が明確に観察できるよう、５０％以下となっていることが好ましい。また、第１領域５０ａにおける透過部５７の割合は、表示装置４０の画像表示状態において、画像光を透過させるために、１０％以上となっていることが好ましい。
【００４１】
透過部５７は、上述した表示装置４０の画素ｐｘの配列方向と非平行な方向に配列されていることが好ましい。本実施の形態では、図７に示すように、透過部５７は、画素の配列方向である第１方向ｄ１に対して３０°傾斜した第３方向ｄ３と、第２方向ｄ２に対して３０°傾斜した第４方向ｄ４とのそれぞれに沿って配列されている。また、透過部５７は、例えば直径Ｄが５０μｍ以上２００μｍ以下の円形である。また、配列されている透過部５７の間隔Ｐは、７５μｍ以上５００μｍ以下である。
【００４２】
次に、本実施の形態のパネル付き表示装置１０の作用について説明する。
【００４３】
表示装置４０の表示面４１に画像を表示した状態では、画像光は、パネル部材３０の開口部３７および加飾シート５０の透過部５７を透過し、外部の観察者に観察される。表示装置４０の表示面４１を覆う第１領域５０ａにおける透過部５７の割合が１０％以上であると、観察者は、十分な明るさの画像光を観察することができる。
【００４４】
また、第１領域５０ａにおける絵柄部５３ａは、遮蔽部５５ａによって表示装置４０の側から覆われている。したがって、遮蔽部５５ａによって、画像光が絵柄部５３ａへ入射することが妨げられる。このため、絵柄部５３ａを画像光が透過して、絵柄部５３ａによって表される意匠と画像光とが混合して観察されることを防止することができる。すなわち、絵柄部５３ａで特定波長域の可視光が吸収されることに起因して画像の色再現性が劣化することを効果的に防止することができる。さらに、遮蔽部５５ａが絵柄部５３ａに対面する領域にのみ設けられている場合、遮蔽部５５ａによって透過部５７を透過する画像光が妨げられることが防止される。すなわち、画像光を効率的に利用して、画像を明るく表示することができる。
【００４５】
さらに、図７に示すように、透過部５７は、表示装置４０の画素ｐｘの配列方向と非平行な方向に配列されている。このため、表示装置４０の画素ｐｘの配列の周期構造と透過部５７の配列の周期構造とが互いに干渉しにくくなり、画像とともに干渉縞が観察されることを効果的に抑制することができる。なお、干渉縞を目立たなくする観点から、透過部５７の配列方向ｄ３，ｄ４を画素ｐｘの配列方向ｄ１，ｄ２に対して１５°以上７５°以下の角度で傾斜させることが好ましい。
【００４６】
一方、表示装置４０の表示面４１に画像を表示しない状態では、加飾シート５０の意匠が観察者に観察される。とりわけ、加飾シート５０の可視光透過率が５０％以下となっていると、観察者は、加飾シート５０の意匠を明確に観察することができる。特に、遮蔽部５５が絵柄部５３に対面する位置にのみ設けられている場合、遮蔽部５５が観察者に観察されず、遮蔽部５５によって加飾シート５０の意匠性が害されることが防止される。
【００４７】
ところで、上述したように、図９に示す従来の加飾シート１５０を有するパネル付き表示装置１１０では、加飾シート１５０の表示面に対面する領域、すなわち第１領域１５０ａのみに透過部が設けられると、第１領域１５０ａにおいて加飾シート１５０の意匠が薄くなる。このため、第１領域１５０ａと第２領域１５０ｂとの間で意匠性の違いが生じていた。
【００４８】
一方、本実施の形態の加飾シート５０を有するパネル付き表示装置１０では、第１領域５０ａにおけるＬ＊ａ＊ｂ＊表色系におけるＬ＊の値であるＬ＊１、ａ＊の値であるａ＊１、ｂ＊の値であるｂ＊１と、第２領域５０ｂにおけるＬ＊ａ＊ｂ＊表色系におけるＬ＊の値であるＬ＊２、ａ＊の値であるａ＊２、ｂ＊の値であるｂ＊２が、次の関係を満たしている。
（（Ｌ＊１−Ｌ＊２）２＋（ａ＊１−ａ＊２）２＋（ｂ＊１−ｂ＊２）２）１／２≦３
この関係が満たされることで、第１領域５０ａと第２領域５０ｂとの間の色の差が、観察者にほとんど認識されなくなる。すなわち、加飾シート５０の表示面４１に対面する領域と、表示面４１に対面する領域以外の領域との間の意匠性の違いを認識し難くすることができる。
【００４９】
本実施の形態の加飾シート５０を有するパネル付き表示装置１０でも、第１領域５０ａのみに透過部５７が設けられているため、第１領域５０ａ及び第２領域５０ｂが、透過部５７が設けられている事を除いて同様に構成されていた場合、第１領域５０ａでは第２領域５０ｂと比較して全体的に意匠を薄く表示するようになり、上述した関係が満たされなくなる。そこで、上述の関係が満たされるために、第１領域５０ａにおける絵柄部５３ａが第２領域５０ｂにおける絵柄部５３ｂよりも濃く意匠を表示することができるようにするための工夫がなされている。
【００５０】
例えば、第１領域５０ａにおける遮蔽部５５ａの厚さＴａが第２領域５０ｂにおける遮蔽部５５ｂの厚さＴｂより厚くすること、第１領域５０ａにおいて絵柄部５３ａに含まれる顔料の密度が第２領域５０ｂにおいて絵柄部５３ｂに含まれる顔料の密度より高くすること、第１領域５０ａにおける絵柄部５３ａの厚さＨａが第２領域５０ｂにおける絵柄部５３ｂの厚さＨｂより厚くなること、第１領域５０ａにおける絵柄部５３ａの網点６０ａの面積比が第２領域５０ｂにおける絵柄部５３ｂの網点６０ｂの面積比より大きくなること、のいずれか１つ以上を採用することによって、第１領域５０ａにおける絵柄部５３ａを第２領域５０ｂにおける絵柄部５３ｂより濃く意匠を表示することができる。このようにして、上述の関係が満たされ得る。これらは、第１領域５０ａと同様に第２領域５０ｂにも透過部５７を形成することと比較して、低コストで実施することができる。ただし、上述の関係が満たされるための条件は、これらのことに限定されない。
【００５１】
例えば、透過部５７は、次のように形成される。まず、基材部５１上の全面に絵柄部５３および遮蔽部５５が設けられる。次に、基材部５１上の透過部５７が形成されるべき位置にレーザーを照射する。レーザーが照射された位置の絵柄部５３および遮蔽部５５が除去される。除去された絵柄部５３および遮蔽部５５の位置が、透過部５７となる。このような透過部５７の形成方法では、レーザーを照射する面積に比例してコストがかかる。したがって、第１領域５０ａのみに透過部５７を形成することは、第１領域５０ａおよび第２領域５０ｂに透過部５７を形成することと比較して、低コストとなる。
【００５２】
あるいは、透過部５７は、次のように形成されてもよい。まず、基材部５１上の全面に絵柄部５３および遮蔽部５５が設けられる。次に、絵柄部５３および遮蔽部５５が設けられた側にフォトレジストが塗布される。その後、透過部５７が形成されるべき位置に穴が設けられたフォトマスクがフォトレジスト上に設けられる。フォトマスクを介して紫外線が照射される。紫外線が照射されると、フォトレジストが現像液に溶解するようになる。すなわち、透過部５７が形成されるべき位置において、現像工程でフォトレジストが溶解する。次に、エッチング液に浸漬して、フォトレジストが除去された位置の絵柄部５３および遮蔽部５５を除去する。除去された絵柄部５３および遮蔽部５５の位置が、透過部５７となる。このような透過部５７の形成方法では、用いられるフォトマスクの大きさ及び紫外線照射装置の大きさに比例してコストがかかる。したがって、第１領域５０ａのみに透過部５７を形成することは、第１領域５０ａおよび第２領域５０ｂに透過部５７を形成することと比較して、低コストとなる。
【００５３】
なお、上述した透過部５７の形成方法は例示であり、他の方法によって透過部５７が形成されてもよい。
【００５４】
以上のように、本実施の形態の加飾シート５０は、少なくとも表示装置４０の表示面４１を覆う第１領域５０ａと、第１領域５０ａに隣接する第２領域５０ｂと、を含む加飾シートであって、絵柄部５３と、少なくとも第１領域５０ａに設けられた絵柄部５３の非形成部である透過部５７と、を備え、第１領域５０ａにおける透過部５７の割合は、第２領域５０ｂにおける透過部５７の割合より高く、第１領域５０ａにおけるＬ＊ａ＊ｂ＊表色系におけるＬ＊の値であるＬ＊１、ａ＊の値であるａ＊１、ｂ＊の値であるｂ＊１と、第２領域５０ｂにおけるＬ＊ａ＊ｂ＊表色系におけるＬ＊の値であるＬ＊２、ａ＊の値であるａ＊２、ｂ＊の値であるｂ＊２が、次の関係を満たす。
（（Ｌ＊１−Ｌ＊２）２＋（ａ＊１−ａ＊２）２＋（ｂ＊１−ｂ＊２）２）１／２≦３
このような加飾シート５０によれば、上述の関係を満たすことで、表示面４１に対面する第１領域５０ａと第１領域５０ａに隣接する第２領域５０ｂとの間の色の差が、観察者にほとんど認識されなくなる。また、上述の関係は、低コストで満たされ得る。すなわち、低コストで、加飾シート５０の表示面４１に対面する領域と、表示面４１に対面する領域以外の領域との間の意匠性の違いを認識し難くすることができる。
【００５５】
なお、上述した実施の形態に対して様々な変更を加えることが可能である。
【００５６】
例えば、上述した実施の形態において、加飾シート５０は、基材部５１を有していた。しかしながら、加飾シート５０は、その製造工程で剥離させる等によって、基材部５１が除かれていてもよい。この場合、透過部５７は、加飾シート５０の貫通孔として形成され得る。
【００５７】
また、上述した実施の形態において、図２に示すように、パネル付き表示装置１０が観察される側に加飾シート５０の絵柄部５３が配置されていた。しかしながら、図８に示すように、パネル付き表示装置１０が観察される側に加飾シート５０の基材部５１が配置されていてもよい。パネル付き表示装置１０が観察される側に加飾シート５０の基材部５１が配置されていると、透過部５７に異物が付着して画像光を妨げてしまうことが生じにくくなる。
【００５８】
上述したパネル付き表示装置１０は、例えば自動車や鉄道等の車両、航空機、船舶及び宇宙船等の移動体の内装部材または外装部材に用いられる。具体的な一例として、パネル付き表示装置１０は、自動車のセンターコンソールや、ドアトリムに用いられる。あるいは、パネル付き表示装置１０は、建物の内装部材または外装部材、電子機器、家具や電化製品に組み込まれて用いられてもよい。
【符号の説明】
【００５９】
１０    パネル付き表示装置
２０    加飾シート付き表示装置
３０    パネル部材
３１    基材層
３５    意匠層
３７    開口部
４０    表示装置
４１    表示面
５０    加飾シート
５０ａ  第１領域
５０ｂ  第２領域
５１    基材部
５３    絵柄部
５５    遮蔽部
５７    透過部
６０    網点
【図１】
2019120833.tif 000003
【図２】
2019120833.tif 000004
【図３】
2019120833.tif 000005
【図４】
2019120833.tif 000006
【図５】
2019120833.tif 000007
【図６】
2019120833.tif 000008
【図７】
2019120833.tif 000009
【図８】
2019120833.tif 000010
【図９】
2019120833.tif 000011